(57)【特許請求の範囲】
【請求項１】
空調装置から送り出された空気を案内する空気ダクトと、前記空気ダクトに接続され、イオン発生装置で生成されたイオンを該空気ダクト内の空気流通路に案内するイオンダクトとを備えたダクト装置において、
前記イオンダクトは、
前記空気ダクトの空気流通路に挿入され、該空気流通路に挿入された部分が空気流通路の空気流通方向と交差する方向に延在する導入筒部と、
前記導入筒部の下流端に連設されると共に前記空気ダクトの空気流通路に挿入され、該空気ダクトにおいて空気流通路を画成する壁から離れて該空気流通路の空気流通方向に沿って延在し、前記イオンを該空気流通方向へ案内する案内筒部と、
前記案内筒部におけるイオン案内方向下流端に設けられ、前記空気流通路の空気流通方向下流側に向けて開口し、前記空気ダクトの空気送出口に臨む流出口と、
前記導入筒部から前記案内筒部への曲がり部分において空気流通方向上流側に延在する曲がり外側の壁面に、前記空気流通路の空気流通方向に沿って空気が該空気流通路から案内筒部の内部へ通過可能に形成され、空気流通路から該案内筒部へ空気を取り込む通気孔とを備え、
前記通気孔は、前記空気ダクトの壁から離して設けられると共に、前記案内筒部における空気流通方向に沿う壁面の延長線から外れた位置に前記流出口と対向するように形成され、
前記通気孔は、総開口面積が前記案内筒部の流通断面積より小さく、該通気孔の総開口面積が前記案内筒部の流通断面積の２．２５％〜９．００％の範囲に設定された
ことを特徴とするダクト装置。
【請求項２】
前記空気ダクトは、空気流入口と空気送出口との途中の屈曲部で曲がるように形成され、
前記導入筒部は、前記空気ダクトにおける前記屈曲部の曲がり内側に連なる壁に該屈曲部より空気流通方向下流側に形成された装着口から前記空気流通路内に挿入され、
前記案内筒部は、前記空気流通路内で前記屈曲部の曲がり内側に連なる壁側に偏倚して配置された請求項１記載のダクト装置。
【発明の詳細な説明】
【技術分野】
【０００１】
本発明は、空調装置から送り出された空気を案内する空気ダクトと、前記空気ダクトに接続され、イオン発生装置で生成されたイオンを該空気ダクトの内部に画成された空気流通路に案内するイオンダクトとを備えたダクト装置に関するものである。
【背景技術】
【０００２】
空調装置から送り出された空気を案内する空気ダクトに、イオン発生装置で生成されたイオンを案内するイオンダクトを接続して構成され、空調装置からの空気にイオンを混合させて室内に放出するようにしたダクト装置が、各種車両(自動車または電車等)や建物等に設置された前記空調装置において実用化されている。車両に配設されたダクト装置は、例えば特許文献１に開示されている。
【先行技術文献】
【特許文献】
【０００３】
【特許文献１】特開２００９−１２６２２８号公報
【発明の概要】
【発明が解決しようとする課題】
【０００４】
ところで、イオン発生装置で生成されたイオンを案内するイオンダクトを備えたダクト装置では、該イオンダクトの内壁に衝突することによりイオンが壊れることを防止するため、該イオンダクト内のイオンを含む空気の流速を低く抑えてある。このため、前記特許文献１に開示された車両用空調装置に装備されたダクト装置は、空気ダクト(運転席側空調ダクト)における湾曲部の曲がり内側に負圧発生部を設け、イオンダクト(連通ダクト)のイオン放出口を前記負圧発生部に接続して、空気ダクト内の空気流通路に形成された負圧を利用してイオンダクト内のイオンを該空気ダクト内へ放出するよう構成されている。しかしながら、引用文献１のダクト装置の構造では、空気ダクトにおける空気流通路の空気の流量が増加すると、イオンダクト内のイオンを含む空気が該イオンダクト内に停留し易く、イオンが室内へ放出され難い問題がある。しかも、空気ダクトの空気流通路を流通する空気の流量が増加して該空気ダクト内の圧力が高まると、該空気の一部がイオンダクト内へ流入して、イオンが該イオンダクト内を逆流する不都合も発生する。
【０００５】
従って本発明では、イオンダクトからイオンを適切に放出させることができるダクト装置を提供することを目的とする。
【課題を解決するための手段】
【０００６】
前記課題を解決し、所期の目的を達成するため、本願の請求項１に記載の発明は、
空調装置から送り出された空気を案内する空気ダクトと、前記空気ダクトに接続され、イオン発生装置で生成されたイオンを該空気ダクト内の空気流通路に案内するイオンダクトとを備えたダクト装置において、
前記イオンダクトは、
前記空気ダクトの空気流通路に挿入され、該空気流通路に挿入された部分が空気流通路の空気流通方向と交差する方向に延在する導入筒部と、
前記導入筒部の下流端に連設されると共に前記空気ダクトの空気流通路に挿入され、該空気ダクトにおいて空気流通路を画成する壁から離れて該空気流通路の空気流通方向に沿って延在し、前記イオンを該空気流通方向へ案内する案内筒部と、
前記案内筒部におけるイオン案内方向下流端に設けられ、前記空気流通路の空気流通方向下流側に向けて開口し、前記空気ダクトの空気送出口に臨む流出口と、
前記導入筒部から前記案内筒部への曲がり部分において空気流通方向上流側に延在する曲がり外側の壁面に、前記空気流通路の空気流通方向に沿って空気が該空気流通路から案内筒部の内部へ通過可能に形成され、空気流通路から該案内筒部へ空気を取り込む通気孔とを備え、
前記通気孔は、前記空気ダクトの壁から離して設けられると共に、前記案内筒部における空気流通方向に沿う壁面の延長線から外れた位置に前記流出口と対向するように形成され、
前記通気孔は、総開口面積が前記案内筒部の流通断面積より小さく、該通気孔の総開口面積が前記案内筒部の流通断面積の２．２５％〜９．００％の範囲に設定されたことを要旨とする。
【０００７】
従って、請求項１に係る発明によれば、イオンダクトにおける案内筒部を空気ダクト内の空気流通路に挿入し、案内筒部のイオン案内方向下流端に設けられた流出口を空気流通路の下流側に向けると共に該案内筒部を空気流通路の空気流通方向に沿って延在するように設け、かつ案内筒部よりイオン案内方向上流側に通気孔を設けた。これにより、イオンダクトの案内筒部まで移動したイオンは、空気ダクトの空気流通路から通気孔を介して案内筒部内に流入した空気により該案内筒部の流出口に向けて押されるから、該空気により該イオンの放出を補助することができる。また、イオンが案内筒部内を流通する空気の流れに沿って放出されるので、該イオンが壊れ難い。
空気流通路の空気が該通気孔を通過して案内筒部内へスムーズに流入すると共に、案内筒部内へ流入した空気は該案内筒部の内部に沿って流動し、該空気の流れが乱れることによりイオンが壊れることを防止し得る。
案内筒部と導入筒部との延在方向が交差しているので、通気孔を介して案内筒部内へ流入する空気が導入筒部側へ移動することが防止され、導入筒部から案内筒部へのイオンの放出が阻害されない。
空気ダクトの空気送出口の向きと案内筒部の流出口の向きとが揃っているので、案内筒部の流出口から放出されたイオンは空気ダクトの空気送出口にスムーズに移動し、イオンが空気流通路の内壁に接触し難い。
通気孔の総開口面積が案内筒部の流通断面積より小さいので、該通気孔を介して該案内筒部内へ流入する空気の量を抑えることができる。
【０００８】
請求項２に記載の発明は、前記空気ダクトは、空気流入口と空気送出口との途中の屈曲部で曲がるように形成され、
前記導入筒部は、前記空気ダクトにおける前記屈曲部の曲がり内側に連なる壁に該屈曲部より空気流通方向下流側に形成された装着口から前記空気流通路内に挿入され、
前記案内筒部は、前記空気流通路内で前記屈曲部の曲がり内側に連なる壁側に偏倚して配置されたことを要旨とする。
【発明の効果】
【００１２】
本発明に係るダクト装置によれば、イオンダクトからイオンを適切に放出させることができる。
【図面の簡単な説明】
【００１３】
【図１】実施例のダクト装置の構成を概略的に示す斜視図である。
【図２】実施例のダクト装置について、イオンダクトにおける案内筒部の構成を一部破断して示す説明図である。
【図３】実施例のダクト装置を図２の矢視Ａから見た図である。
【図４】イオンダクトに設けられる通気孔の別形態例を示す説明図である。
【図５】イオンダクトの別形態例を示す説明図である。
【発明を実施するための形態】
【００１４】
次に、本発明に係るダクト装置につき、好適な実施例を挙げて、添付図面を参照しながら以下説明する。本発明が対象とするダクト装置Ｄは、配設する場所の空間形状に合わせて様々な外形形状・サイズ等に成形されるが、実施例では単純な形状で示す。なお実施例では、ダクト装置Ｄを構成する空気ダクトＤ１に関し、空気流入口１４から空気送出口１５に至る空気流通方向と直交する方向において上壁１０および下壁１１が上下に対向して配置されており、空気流通方向と直交する方向において上壁１０および下壁１１を繋ぐ側壁１２,１３が対向する方向を「横方向」と指称する。
【実施例】
【００１５】
実施例のダクト装置Ｄは、図１に示すように、空調装置ＡＣから送り出された空気を案内する空気ダクトＤ１と、この空気ダクトＤ１の側壁１２に接続され、イオン発生装置Ｍで生成されたイオンを該空気ダクトＤ１の内部に画成された空気流通路に案内するイオンダクトＤ２とを備えている。空気ダクトＤ１およびイオンダクトＤ２は、ポリプロピレン(ＰＰ)やポリエチレン(ＰＥ)等(好ましくは帯電性が低い樹脂材料)を材質とし、ブロー成形により各々を個別に成形した後、イオンダクトＤ２をその先端から空気ダクトＤ１に挿入して接続したものである。
【００１６】
空気ダクトＤ１は、図１および図２に示す如く、上下方向で対向する上壁１０および下壁１１と、横方向で対向して上壁１０および下壁１１に連設する側壁１２,１３とにより、途中に屈曲部１７を有する角筒状に形成され、内部に空気流通路１６が画成されている。そして空気ダクトＤ１は、空気流通路１６の空気流通方向における一方の開口端部が、空調装置ＡＣの空気送出部ＡＣ１に接続される空気流入口１４とされると共に、空気流通方向における他方の開口端部が、図示しないエアアウトレット等に整合する空気送出口１５とされている。また空気ダクトＤ１は、ブロー成形時に型閉めにより形成された接合リブ１８,１８が、各側壁１２,１３において空気流通方向へ延在するように形成されている。なお屈曲部１７には、空気流通方向と交差する横方向の中間に、上壁１０から下壁１１に向けて突出して屈曲部１７の曲率に沿って延在する補強リブ１９が形成されている。この補強リブ１９は、空気ダクトＤ１を補強すると共に、屈曲部１７を通過する空気の流れを整えるようになっている。
【００１７】
また空気ダクトＤ１は、屈曲部１７の曲がり方向の内側に位置する側壁１２において、屈曲部１７と空気送出口１５との中間に、前記イオンダクトＤ２の下流端部分の挿通を許容する円形の装着口２０が形成されている。また、下壁１１において、曲がり方向の内側の接合リブ１８における屈曲部１７に対応する部分には、水平外方へ延出した取付板部２１が該接合リブ１８に一体的に形成されており、この取付板部２１にはイオンダクトＤ２の取付片４２がカシメ固定されるようになっている。
【００１８】
イオンダクトＤ２は、図１に示すように、空気ダクトＤ１との連結位置およびイオン発生装置Ｍの配設位置を前提として、複数のダクト部を連結することで複雑に屈曲した形状に構成されている。すなわちイオンダクトＤ２は、イオン発生装置Ｍに接続された第１ダクト部３０と、この第１ダクト部３０に連結された第２ダクト部３２と、この第２ダクト部３２に連結された第３ダクト部３４とから構成され、第１ダクト部３０におけるイオン発生装置Ｍとの接続側の開口端部がイオン流入口３６とされ、第３ダクト部３４の先端側の開口端部がイオン流出口(流出口)３８とされている。
【００１９】
第１ダクト部３０は、図１に示すように略Ｌ字形に屈曲した円筒状に形成され、イオン発生装置Ｍに接続される側が太径に形成されて、イオン発生装置Ｍに設けられたイオン放出部７２に外嵌合されている。第２ダクト部３２は、図１に示すように略ヘ字形に屈曲した円筒状に形成され、第１ダクト部３０に連結される側が太径に形成されて、該第１ダクト部３０の端部に外嵌合されている。第２ダクト部３２における第３ダクト部３４側の直線部分は、ゴムスポンジ等を材質とする筒状(管状)の吸音部材Ｕを収容する収納部４０となっており、内径が該吸音部材Ｕの肉厚分だけ大きく形成されている。これによりイオンダクトＤ２は、イオン発生装置Ｍにおいて発生する作動音を吸音部材Ｕで吸収して、該作動音が空気ダクトＤ１内へ漏出するのを防止するよう構成されている。また、第２ダクト部３２の外側には、空気ダクトＤ１の前記取付板部２１に固定される取付片４２が一体的に形成されている。
【００２０】
第３ダクト部３４は、図１および図２に示すように、中間部分の２箇所で逆向きに屈曲して２つのエルボ部分を有する所謂ダブルエルボ形の円筒状に形成され、第２ダクト部３２に連結される側が太径に形成されて、該第２ダクト部３２に外嵌合されている。この第３ダクト部３４は、両屈曲部分間の中間部において空気ダクトＤ１の側壁１２で支持され、空気ダクトＤ１の空気流通路１６内に位置する下流側の屈曲部より上流側(第２ダクト部３２側)が導入筒部５０とされると共に、該屈曲部より下流側(イオン流出口３８側)が案内筒部５２とされる。すなわち第３ダクト部３４は、導入筒部５０および案内筒部５２が一体的に形成され、空気ダクトＤ１の側壁１２に形成された装着口２０に案内筒部５２から挿入することで該空気ダクトＤ１に固定されている。なお、各図における符号Ｇは、弾力性を有するリング状のグロメットであって、該グロメットＧはイオンダクトＤ２の第３ダクト部３４と空気ダクトＤ１との隙間をシールする。
【００２１】
そして、空気ダクトＤ１にイオンダクトＤ２が連結された状態では、図１〜図３に示すように、導入筒部５０における空気ダクトＤ１の空気流通路１６内に挿入された部分は、内部に画成されたイオン流通空間５８のイオン案内方向が、該空気流通路１６の空気流通方向と交差する方向に延在する。また、導入筒部５０に連設された案内筒部５２は、内部に画成されたイオン流通空間５８のイオン案内方向が空気流通路１６の空気流通方向に沿って延在すると共に、空気流通路１６の空気流通方向下流側に向いた姿勢となっており、該案内筒部５２のイオン案内方向下流端に前記イオン流出口３８が位置している。なお、案内筒部５２は空気ダクトＤ１の空気送出口１５に臨む位置まで延在しており、イオン流出口３８は該空気送出口１５に近接している。
【００２２】
更に、イオンダクトＤ２は、図２および図３に示すように、案内筒部５２よりイオン案内方向上流側に、空気ダクトＤ１の空気流通路１６から該案内筒部５２のイオン流通空間５８内へ空気が取り込まれるのを許容する通気孔６０が設けられている。すなわち通気孔６０は、案内筒部５２のイオン案内方向上流側に連設された前記導入筒部５０との間の屈曲部(交差部)において、空気流通路１６の空気流通方向上流側に壁面５４に臨み、かつ空気流通路１６と案内筒部５２のイオン流通空間５８とを該空気流通路１６の空気流通方向で連通するように設けられている。換言すると通気孔６０は、空気流通路１６の空気流通方向上流側で、かつ案内筒部５２のイオン案内方向上流側の延長線上において、空気が空気流通路から案内筒部の内部へ該空気流通路の空気流通方向に沿って通過可能に形成されている。従って、空気流通路１６内の空気は、通気孔６０を通過して案内筒部５２内へスムーズに流入すると共に、通気孔６０を介して案内筒部５２内へ取り込まれた空気は、該案内筒部５２のイオン流通空間５８に沿って下流側に移動して、イオン流出口３８から空気流通路１６へ流出するようになっている。
【００２３】
そして、通気孔６０の総開口面積Ｓ１は、案内筒部５２の流通断面積(イオン流通空間５８におけるイオン流通方向と直交する方向での断面積)Ｓ２より小さく設定されている。なお、通気孔６０の総開口面積Ｓ１は、本願発明者が実施した後述の実験結果から、案内筒部５２の流通断面積Ｓ２の２.２５〜９.００％の範囲内で設定すると良い。このように、通気孔６０の総開口面積Ｓ１を案内筒部５２の流通断面積Ｓ２より小さく設定することで、通気孔６０を介して該案内筒部５２内へ流入する空気の流入量が制御され、案内筒部５２内における該空気の流速を最適に設定し得る。
【００２４】
すなわち実施例のダクト装置Ｄは、空調装置ＡＣから空気流通路１６へ送出された空気の一部を通気孔６０から案内筒部５２内に取り込むことで、イオン発生装置ＭからイオンダクトＤ２内へ放出されて導入筒部５０に移動したイオンを、案内筒部５２内に取り込まれた空気でイオン流出口３８へ押すようにすることで、該イオンがイオン流出口３８を介して空気ダクトＤ１内へ放出されることを補助するよう構成したものである。しかも、前記通気孔６０の総開口面積Ｓ１を前述のように設定することで、案内筒部５２内に取り込まれた空気の流速が最適化され、案内筒部５２内のイオンが壊れることなくイオン流出口３８を介して放出されるよう構成したものである。
【００２５】
イオン発生装置Ｍは、既に実用化されている既存のものが採用され、図１に示すように、直方体状に形成されたケース７０内に、イオンを生成するためのユニットが内装されている。前記ケース７０における長手方向の一方の端部には、生成したイオンを放出すると共に前記イオンダクトＤ２の一端が連結されるイオン放出部７２が設けられている。また、ケース７０における長手方向の外面には、空気ダクトＤ１の外面に取付けられたブラケット７６,７６に当該イオン発生装置Ｍを固定するための固定プレート７４が設けられている。なお固定プレート７４は、例えば車両のインストルメントパネル等、イオン発生装置Ｍに隣接する構造体に取付けられたブラケットに固定されることもある。
【００２６】
従って、実施例のダクト装置Ｄによれば、イオンダクトＤ２における案内筒部５２を空気ダクトＤ１内の空気流通路１６に挿入し、案内筒部５２のイオン案内方向下流端に設けられたイオン流出口３８を空気流通路１６の下流側に向けると共に該案内筒部５２を空気流通路１６の空気流通方向に沿って延在するように設け、かつ案内筒部５２よりイオン案内方向上流側に通気孔６０を設けた。これにより、イオンダクトＤ２の案内筒部５２まで移動したイオンは、空気ダクトＤ１の空気流通路３６から通気孔６０を介して案内筒部５２内に流入した空気により該案内筒部５２のイオン流通空間５８に沿ってイオン流出口３８に向けて押され、該空気により該イオンの放出を補助することができる。そして、通気孔６０から取り込まれた空気が案内筒部５２内を流通することで、導入筒部５０内のイオンが該空気に引き寄せられるようになり、更にイオンの放出が促進される。また、イオンが案内筒部５２内を流通する空気の流れに沿って放出されるので、該案内筒部５２内で該イオンが壊れ難い。従ってイオンは、イオンダクトＤ２から空気ダクトＤ１内へ適切に放出された後、該空気ダクトＤ１内を流通する空気と共に室内へ放出され、空調装置ＡＣによる空調に際して好適なイオン効果が得られるようになし得る。
【００２７】
また、実施例のダクト装置Ｄでは、案内筒部５２の内部に臨む通気孔６０が、空気が空気流通路から案内筒部の内部へ該空気流通路の空気流通方向に沿って通過可能に形成されているので、空気流通路１６の空気が該通気孔６０を通過して案内筒部５２内へスムーズに流入すると共に、案内筒部５２内へ流入した空気はイオン流通空間５８に沿って流動し、該イオン流通空間５８で空気の流れが乱れることによりイオンが壊れることを防止し得る。しかも、案内筒部５２と導入筒部５０との延在方向が交差していると共に、導入筒部５０と案内筒部５２との間の屈曲部において該案内筒部５２の上流側に通気孔６０が位置しているので、該通気孔６０を介して案内筒部５２内へ流入する空気が導入筒部５０側へ移動することが防止され、導入筒部５０から案内筒部５２へのイオンの放出が阻害されない。
【００２８】
また、実施例のダクト装置Ｄでは、イオンダクトＤ２における案内筒部５２が空気ダクトＤ１の空気送出口１５に臨む位置まで延在し、該案内筒部５２のイオン案内方向下流端に設けたイオン流出口３８が該空気送出口１５に近接しているので、該空気ダクトＤ１の空気送出口１５と該案内筒部５２のイオン流出口３８との向きが揃っている。これにより、案内筒部５２のイオン流出口３８から放出されたイオンが、空気ダクトＤ１の空気送出口１５に向けてスムーズに移動するから、該イオンが空気流通路１６の内壁に接触し難くなり、該イオンが空気流通路１６の内壁に接触して壊れることを防止し得る。更に、通気孔６０の総開口面積Ｓ１が案内筒部５２の流通断面積Ｓ２より小さく設定されているので、該通気孔６０を介して該案内筒部５２内へ流入する空気の流入量を制御することができ、案内筒部５２のイオン流通空間５８における該空気の流速の最適化が図られて、イオンダクトＤ２からイオンを適切に放出することが可能である。
【００２９】
更に、実施例のダクト装置Ｄは、空気ダクトＤ１に対して案内筒部５２を差し込んで挿入するようになっているので、該空気ダクトＤ１に対するイオンダクトＤ２の取付けを簡易に行ない得る。また、イオンダクトＤ２に吸音部材Ｕを設けたので、イオン発生装置Ｍの作動音が、空気ダクトＤ１の空気送出口１５に向いたイオン流出口３８を介して漏れることを防止し得る。
【００３０】
(実験例)
本願のダクト装置Ｄは、前述した如く、イオンダクトＤ２における案内筒部５２を空気ダクトＤ１の空気流通路１６内に挿入して、案内筒部５２のイオン案内方向下流端に設けられたイオン流出口３８を空気流通路１６の下流側に向けると共に該案内筒部５２を空気流通路１６の空気流通方向に沿って延在するように設け、かつ該案内筒部５２よりイオン案内方向上流側に設けた通気孔６０から空気流通路１６内の空気の一部を該案内筒部５２内に流通させるよう構成することで、案内筒部５２のイオン流通空間５８を流通する空気を利用してイオンダクトＤ２内のイオンを空気ダクトＤ１内へ放出するのを補助するものである。そこで本願発明者は、通気孔６０の有無によるイオンの放出態様を検証する実験(実験１)と、通気孔６０の総開口面積Ｓ１の違いによるイオンの放出態様を検証する実験(実験２)とを行なった。
【００３１】
(実験１) 
実験１では、空調装置ＡＣから送出される空気の風量を変化させた際に、通気孔６０の有無によりイオンの放出数がどのように変化するかを確認した。なお、実験条件は以下のようであり、イオン測定器として微分型電気移動度計測器(ＤＭＡ)を使用した。
＜実験１の条件＞
・空気ダクトＤ１内の空気風量(ｍ３／ｈ)：
・５種類(４０.２、５４.８、６３.６、７５.０、１２７.２)
・案内筒部５２：
・円筒形
・イオン流通空間５８の断面積：７８.５４ｍｍ２(内径：１０ｍｍ)
・通気孔６０：
・円形
・開口面積：１.７７ｍｍ２(内径：１.５ｍｍ)
・実験環境：
・気温：２３℃
・湿度：３９％
【００３２】
【表１】
0005698033.tif 000002
【００３３】
表１は、前記実験１の実験結果を示したものである。この実験結果によれば、何れの風量においても、通気孔６０を設けた方がイオン放出数が多くなった。従って、前記通気孔６０を設けることがイオン放出に効果があることが確認できた。
【００３４】
(実験２)
実験２では、空調装置ＡＣから送り出される空気の流量が一定の場合において、通気孔６０の開口面積を変化させて、イオンの放出数がどのように変化するかを確認した。なお、実験条件は以下のようであり、イオン測定器として微分型電気移動度計測器(ＤＭＡ)を使用した。
＜実験２の条件＞
・空気ダクトＤ１内の空気風量(ｍ３／ｈ)：６３.６
・案内筒部５２：
・円筒形
・イオン流通空間５８の断面積：７８.５４ｍｍ２(内径：１０ｍｍ)
・通気孔６０：
・円形
・開口面積(ｍｍ２)：
７種類(０.７９、１.７７、３.１４、４.９１、７.０７、９.６２，１２.５６)
・実験環境：
・気温：２３℃
・湿度：３９％
【００３５】
【表２】
0005698033.tif 000003
【００３６】
表２は、前記実験２の実験結果を示したものである。この実験結果によれば、通気孔６０の総開口面積Ｓ１が案内筒部５２の流通断面積Ｓ２の２.２５〜９.００％の範囲が、総開口面積Ｓ１が案内筒部５２の流通断面積Ｓ２の２.２５％より小さい場合および９.００％より大きい場合に比べて、イオン放出数が多いことが確認された。
【００３７】
(変更例)
（１）空気ダクトＤ１におけるイオンダクトＤ２が挿通される位置は、屈曲部１７の曲がり内側となる側壁１２に限定されず、図５に示すように、空気ダクトＤ１の曲がり外側となる側壁１３や、上壁１０または下壁１１であってもよい。
（２）イオンダクトＤ２の第３ダクト部３１は、実施例のように屈曲したものに限定されず、図５に示すように、空気ダクトＤ１の屈曲部１７に対して側壁１３から挿入する場合には直管であってもよい。このような直管の第３ダクト部３４では、図５に記載した２点鎖線より下流側部分が空気ダクトＤ１の空気流通方向に延在する案内筒部５２であり、該２点鎖線より上流側部分が導入筒部５０である。従って通気孔６０は、案内筒部５２よりイオン案内方向上流側の導入筒部５０に設けることで、該通気孔６０に対して空気が斜めに接近するようになるから、空気流通路１６から案内筒部５２へ空気を取り込むことが可能である。
（３）実施例のイオンダクトＤ２では、イオンダクトＤ２における空気ダクトＤ１内へ挿入される案内筒部５２が導入筒部５０と一体に形成された形態を例示したが、この案内筒部５２を導入筒部５０と別体に構成して、案内筒部５２と導入筒部５０とを側壁１２を挟んで空気ダクトＤ１の内外から連結する形態としてもよい。
（４）イオンダクトＤ２は、円筒状に限定されず、楕円筒状や、四角筒状等の多角形筒状に構成されたものであってもよい。
（５）通気孔６０は、空気が空気流通路１６からイオンダクトＤ２の案内筒部５２内へ該空気流通路１６の空気流通方向に沿って通過可能に形成されていればよい。例えば図４に示すように、通気孔６０は、案内壁部５２の厚み方向に貫通形成されて、その貫通方向が空気流通方向と交差していても、該通気孔６０における空気流通方向上流側の開口縁とイオンダクトＤ２の外面とがなす角縁６０Ａが、該通気孔６０における空気流通方向下流側の開口縁と該イオンダクトＤ２の内面とがなす角縁６０Ｂに対し、空気流通方向で重ならないよう設定することで、通気孔６０が空気流通方向に通じる。このように通気孔６０を構成することで、空気が空気流通路１６から案内筒部５２の内部へ該空気流通路１６の空気流通方向に沿って通過可能であるから、前記実施例の通気孔６０と同等の作用効果が得られる。
（６）案内筒部５２に設けられる通気孔６０は、円形に限定されず、総開口面積Ｓ１が前記範囲内であれば、楕円形、多角形、細長のスリット形等であってもよい。
（７）実施例では、１つの通気孔６０を形成した場合を例示したが、該通気孔６０は複数形成するようにしてもよい。このように複数の通気孔６０を設ける場合には、全ての通気孔６０の開口面積の合わせた総開口面積が前記範囲内となるようにすればよい。
（８）空気ダクトＤ１におけるイオンダクトＤ２が挿通される位置は、屈曲部１７の曲がり内側となる側壁１２に限定されず、空気ダクトＤ１の曲がり外側となる側壁１３や、上壁１０または下壁１１であってもよい。
【符号の説明】
【００３８】
１５ 空気送出口，１６ 空気流通路，１７ 屈曲部，２０ 装着口，
３８ イオン流出口(流出口)，５０ 導入筒部，５２ 案内筒部，５４ 壁面，
５８ イオン流通空間，６０ 通気孔，Ｄ１ 空気ダクト，Ｄ２ イオンダクト，
Ｍ イオン発生装置，Ｓ１ 総開口面積(通気孔６０の)，
Ｓ２ 流通断面積(案内筒部５２の)，ＡＣ 空調装置
【図１】
0005698033.tif 000004
【図２】
0005698033.tif 000005
【図３】
0005698033.tif 000006
【図４】
0005698033.tif 000007
【図５】
0005698033.tif 000008